(57)【特許請求の範囲】
【請求項１】
容器の口部に取り付けられる装着部と、装着部に連設して上方に筒状に突出する注出筒と、注出筒に連設して容器内部を密閉する隔壁と、隔壁の上面に設けられたプルリングとを備え、
プルリングは、手指で把持するリング部と、上端部でリング部に連設し隔壁の上面に立設された支柱部とからなり、支柱部側部と注出筒の内周面との間の隔壁には、支柱部側部との間に下方が開放された間隙をはさんで支柱部上端部まで立ち上がる立壁部が形成され、
切り取り可能な薄肉弱化部が、支柱部の側部および上端部と立壁部との間に形成されるとともに、注出口を開口する除去部を画成するように隔壁に連続して形成されていることを特徴とするプルリングを備えたキャップ。
【請求項２】
プルリングの支柱部は、容器を傾けて内容液を注ぐ注ぎ側と反対側に配置されていることを特徴とする請求項１記載のプルリングを備えたキャップ。
【発明の詳細な説明】
【技術分野】
【０００１】
本発明は、引き上げることによって薄肉弱化部を破断し注出口を開口するプルリングを備えたキャップに係るものであり、とくに抜栓時において、プルリングによる薄肉弱化部の破断を容易にするとともに内容液の飛び跳ねを防止したプルリングを備えたキャップに関するものである。
【背景技術】
【０００２】
液体を収容する容器に取り付けられたキャップ本体に、注出筒の底部の隔壁に開口部を画成する薄肉弱化部によって抜き取り可能な除去部を形成し、使用にあたって、除去部に支柱を介して取り付けられたプルリングを引き上げて除去部を抜き去り、注出口を形成するプルリングを備えたキャップは従来よりよく知られている（例えば、特許文献１参照）。  
【０００３】
また、内容液を加熱充填した容器に装着されたキャップでは、常温で容器内が減圧され内容液の液面が上昇しているので、プルリングを引っ張り上げて抜栓する際、抜栓による急激な圧力変化や除去部が引きちぎられる衝撃により液面が波立ち、開口部から液が飛び散ることがあり、このような液の飛び跳ねを防止するために、プルリングにより薄肉弱化部を破断する前に、予め容器内の圧力を下げ、液面を沈下させる割れ目（連通部）を形成する手段を備えたキャップが従来より知られている（例えば、特許文献２参照）。
【先行技術文献】
【特許文献】
【０００４】
【特許文献１】特開２０１０−２７４９７６号公報
【特許文献２】特開２００３−２１２２５４号公報
【発明の概要】
【発明が解決しようとする課題】
【０００５】
しかしながら、上記特許文献１記載のキャップでは、抜栓時にプルリング１８を上方に引き上げ薄肉部１２の破断を開始する際に大きな力を必要とするため、プルリング１８の支柱１７が延びてしまって開けづらいということがあり、最悪の場合は、支柱１７が破断して抜栓が困難になるということがあった。
【０００６】
また、上記特許文献１記載のキャップでは、プルリング１８を上方に引き上げて薄肉部１２を破断するので、容器を片方の手で下に押さえつけ、他方の手でプルリング１８を上方に引っ張らなければならないため、お年寄りや子供など力が弱い消費者には扱いにくいという問題があった。
【０００７】
さらに、上記特許文献２記載のキャップでは、プルリングのリング部７を引き上げる前に、棒状突起９を指で押し曲げ、棒状突起周縁の前弱縁部１０を破断することにより割れ目を形成し、容器内を外気に連通して常圧にしてからプルリングにより薄肉脆弱部５を破断して開口するので、プルリングによる開封時に液が飛び散ることはないが、容器を使用するにあたって面倒な準備作業を要し二つの動作を行わなければならないという問題があった。
【０００８】
本発明は、これらの問題を解決することを課題とし、薄肉弱化部を破断して注出口を開口する抜栓時に、プルリングを扱いやすくして容易に薄肉弱化部の破断を開始することができるとともに、内容液が飛び散ることを防止したプルリングを備えたキャップを提供することを目的とする。
【課題を解決するための手段】
【０００９】
本発明は、上記の課題を解決するため、プルリングを備えたキャップとして、容器の口部に取り付けられる装着部と、装着部に連設して上方に筒状に突出する注出筒と、注出筒に連設して容器内部を密閉する隔壁と、隔壁の上面に設けられたプルリングとを備え、プルリングは、手指で把持するリング部と、上端部でリング部に連設し隔壁の上面に立設された支柱部とからなり、支柱部側部と注出筒の内周面との間の隔壁には、支柱部側部との間に下方が開放された間隙をはさんで支柱部上端部まで立ち上がる立壁部が形成され、切り取り可能な薄肉弱化部が、支柱部の側部および上端部と立壁部との間に形成されるとともに、注出口を開口する除去部を画成するように隔壁に連続して形成されていることを特徴とする構成を採用する。
プルリングを備えたキャップの具体的実施形態として、プルリングの支柱部は、容器を傾けて内容液を注ぐ注ぎ側と反対側に配置されていることを特徴とする構成を採用する。
【発明の効果】
【００１０】
本発明のプルリングを備えたキャップは、プルリングの支柱部側部と注出筒の内周面との間の隔壁に、支柱部側部との間に下方が開放された間隙をはさんで支柱部上端部まで立ち上がる立壁部が形成され、切り取り可能な薄肉弱化部が、支柱部の側部および上端部と立壁部との間に形成されるとともに、注出口を開口する除去部を画成するように隔壁に連続して形成されているので、リング部を引っ張るとリング部が連設する支柱部上端部が引っ張られて薄肉弱化部を破断させるから、リング部を引く力がそのまま薄肉弱化部を破断する力となり、従来技術のように、支柱部の軸方向に働きかけて支柱部を延ばしたり破断させたりすることがない。
その後、リング部を引く力はほぼ水平方向に働き、そのまま支柱部側部の縦方向に沿って薄肉弱化部を破断させていくから、容器を持つ手は容器を倒れないように支持すればよく、薄肉弱化部の破断を開始する抜栓時初期の破断が容易となる。
【００１１】
また、支柱部上端部の薄肉弱化部は、隔壁よりかなり上方にあるので、抜栓時初期に当該薄肉弱化部が破断を開始したとき、急激に空気が流入して液面が波立っても当該破断部から内容液が飛び散ることはなく、その後は内圧が大気圧となって液面が沈下し安定するので、その後の抜栓の過程でも液が飛び散りにくい。
さらに、プルリングの支柱部を、容器を傾けて内容液を注ぐ注ぎ側と反対側に配置すれば、除去部を抜き去った後の支柱部に対応する開口部から、液注出時に空気が流入し、当該開口部が気液置換用通路の役割を果たし、内容液を円滑に注出することができるという効果も奏する。
【図面の簡単な説明】
【００１２】
【図１】本発明の実施例であるプルリングを備えたキャップの閉蓋状態を示す断面側面図である。
【図２】本発明の実施例であるプルリングを備えたキャップの開蓋状態を示す図であり、（ａ）は上面から見た部分図、（ｂ）は断面側面図である。
【図３】本発明の実施例であるプルリングを備えたキャップの開蓋状態を示す図であり、（ａ）は断面正面図、（ｂ）は下面から見た部分図である。
【図４】本発明の実施例であるプルリングを備えたキャップのプルリングを除去部とともに抜き取った図であり、（ａ）は断面正面図、（ｂ）は下面から見た部分図である。
【発明を実施するための形態】
【００１３】
次に、本発明のプルリングを備えたキャップについて、実施例を示した図面を参照して説明する。
【実施例】
【００１４】
図１において、Ａは容器の口部１に取り付けられるキャップ、ＢはキャップＡにヒンジＣを介して連設された上蓋である。
キャップＡは、容器の口部１に嵌合して取り付けられる装着部２と、装着部２に連設して上方に筒状に突出する注出筒３と、注出筒３に連設して容器内部を密閉する隔壁４と、抜栓するためのプルリング５とを備えている。
【００１５】
図１〜３に示すように、装着部２は、内周が容器口部１の外周に嵌合するとともに、外周上部の所定の位置にヒンジＣが連設される外筒部７と、外筒部７の上端内周に連設されるリング状の基壁部８と、基壁部８の上部に立設された蓋係合部９と、基壁部８の下面に垂設され、外周が容器口部１の内周に嵌合する内筒部１０とを具えている。
本実施例では、キャップＡの外筒部７と内筒部１０を容器口部１に嵌合して取り付けているが、本発明のプルリングを備えたキャップは、このような装着部に限られることはなく、本発明の趣旨に反しない範囲で、ねじによる装着など他のいかなる装着手段をも採用しうる。
また、本実施例では、外筒部７は単筒形であるが、従来技術として例示した前記特許文献１記載のキャップと同様に、容器口部１に嵌合する筒部の外側に、一部が破断可能な弱化片で連結された筒部を具えた二重筒形とし、消費者が内容物を使用した後、上蓋Ｂを引張り上げることによりキャップＡを容器口部１から取り外して分別廃棄することができるようにしてもよい。
【００１６】
基壁部８の内周縁に注出筒３が立設され、注出筒３の内周底部には容器内部を密閉する隔壁４が連設され、隔壁４の上面にはプルリング５が設けられている。
プルリング５は、手指で把持する環状のリング部１７と、リング部１７を上端部１６付近で連設し、隔壁４の上面のヒンジＣ側に立設された支柱部１５とからなり、リング部１７の内面には、手指で把持しやすいように複数の滑り止め突起１８がヒンジＣの反対側に配設されている。
【００１７】
プルリング５の支柱部１５の側部と注出筒３のヒンジＣ側の内周面との間の隔壁４には、下方が開放された間隙１９をはさんで支柱部１５の上端部１６まで立ち上がった立壁部２０が形成され、支柱部１５の側部と上端部１６は、切り取り可能な薄肉弱化部２１で立壁部２０に連結されている。
立壁部２０は、下部で平坦な上壁２３と上壁２３から垂下して他の隔壁４に連設する側壁２４を形成して、これらの上壁２３、側壁２４で注出筒３の内周面に連設している。
立壁部２０は、本実施例のように上壁２３、側壁２４を有する形状に限る必要はなく、下部がそのまま他の隔壁４に連設して、従来技術の支柱部を形成するようなデザインとしてもよい。
【００１８】
切り取り可能に薄肉に形成された薄肉弱化部２１のラインは、支柱部１５の上端部１６から支柱部１５の側部の両側を通って、支柱部１５と隔壁４との連設部位まで下降し、当該連設部位からは、隔壁４に注出口を開口する除去部２２を画成するように連続して形成される。
【００１９】
上蓋Ｂは、頂壁３０と、頂壁３０の外周縁から垂設される外周壁３１と、頂壁３０の下面から垂設され、閉蓋時にキャップＡの注出筒３の内周と係合する密封筒３２とからなっている。
外周壁３１には、内周端部に、キャップＡの蓋係合部９と係合する係合凹部３３が設けられており、外周端の所定の位置にヒンジＣが連設されている。
なお、本実施例ではキャップＡにヒンジＣを介して上蓋Ｂが連設されたヒンジキャップとしたが、本発明のプルリングを備えたキャップは、必ずしもヒンジキャップである必要はなく、上蓋がねじで螺着されるものや、上蓋のないキャップでもよい。
【００２０】
次に、本実施例の使用態様と作用効果について説明する。
容器を使用するために、本実施例のキャップを抜栓するには、まず図１の閉蓋状態から上蓋ＢをヒンジＣ回りに回動して、キャップＡの蓋係合部９と上蓋Ｂの係合凹部３３との係合を解除し、図２、３に示す開蓋状態に移行させる。
【００２１】
プルリング５のリング部１７に手指をかけて斜め上方に引っ張ると、リング部１７に連設する支柱部１５の上端部１６が引っ張られて、上端部１６における薄肉弱化部２１がまず破断する。
このとき、リング部１７を引く力は、上端部１６に直接働き、支柱部１５の側部は薄肉弱化部２１によって立壁部２０に連結されているから、支柱部１５がリング部１７を引く力によって軸方向に延ばされたり破断したりすることはなく、破断開始時のプルリング５の取り扱いが容易である。
【００２２】
薄肉弱化部２１は、上端部１６の薄肉弱化部２１を始点として破断を開始した後は、支柱部１５の両側部を縦方向に破断されて、支柱部１５が立壁部２０から分離していく。
そのため、リング部１７を引く力は、薄肉弱化部２１の剪断方向に一致するように手前側にほぼ水平方向に働き、そのまま支柱部１５の側部の縦方向に沿って薄肉弱化部２１を破断させていくから、容器を持つ手は容器を倒れないように支持すればよく、抜栓時初期から隔壁４の除去部２２を上方に引き上げて破断していく従来技術のように容器を下方に押し付けている必要はないから、抜栓時初期の力も少なくてすみ破断が容易となる。
【００２３】
さらに、破断始点となる上端部１６の薄肉弱化部頂部２１は、間隙１９の頂部を形成して隔壁４よりかなり上方にあるので、最初に破断したとき、急激に空気が流入して液面が波立っても当該破断部から内容液が飛び散ることはなく、その後は内圧が低下して液面が沈下するので、その後の抜栓の過程でも液が飛び散りにくくなる。
【００２４】
支柱部１５が完全に立壁部２０から分離し、さらに薄肉弱化部２１の破断が他の隔壁４の部位まで進んでいくと、今度はリング部１７を引っ張る方向は上方に変化するようになり、隔壁４の薄肉弱化部２１の破断が進んでいく。
このとき、既に薄肉弱化部２１の破断が進行し、破断が加速されて慣性力がついてきているので、隔壁４における薄肉弱化部２１の破断も容易に進行する。
【００２５】
薄肉弱化部２１の破断が完了し除去部２２が完全に切り取られると、図４に示されるように、支柱部１５が取り除かれて間隙１９が露出した上方に延びる縦開口部Ｑを有する注出口Ｐが現出する。
除去部２２が隔壁４から引きちぎられるときも、内容液の液面は既に沈下して安定しているので、液が飛び散るようなことはない。
また、縦開口部ＱはヒンジＣ側にあるから、容器を傾けヒンジＣと反対側の注ぎ側から内容液を注出する際、上方に延びる縦開口部Ｑは、流出する内容液に代わって空気が流入する気液置換用通路の役割を果たし、円滑に内容液を注出することができる。
【産業上の利用可能性】
【００２６】
本発明のプルリングを備えたキャップは、プルリングを扱いやすくして抜栓時初期の薄肉弱化部の破断を容易にし、小さな力でも容易に抜栓することができるとともに、抜栓時に内容液が飛び散るようなことがないから、プルリングを引っ張ることで注出口を開口するタイプのプルリング式キャップに広く適用可能であり、とくに、高温充填等により常温で内部が減圧された容器のプルリング式キャップに採用して好適である。
【符号の説明】
【００２７】
Ａ            キャップ
Ｂ            上蓋
Ｃ            ヒンジ
Ｐ            注出口
Ｑ            縦開口部
１            口部
２            装着部
３            注出筒
４            隔壁
５            プルリング
７            外筒部
８            基壁部
９            蓋係合部
１０            内筒部
１５            支柱部
１６            上端部
１７            リング部
１８            滑り止め突起
１９            間隙
２０            立壁部
２１            薄肉弱化部
２２            除去部
２３            上壁
２４            側壁
３０            頂壁
３１            外周壁
３２            密封筒
３３            係合凹部
【図１】
0005777554.tif 000002
【図２】
0005777554.tif 000003
【図３】
0005777554.tif 000004
【図４】
0005777554.tif 000005